(57)【要約】【課題】耐熱性の高い情報管理タグを提供する。さらに、取り外しが容易であり、再使用が可能で、製品等に付着痕跡を残さない情報管理タグを提供する。【解決手段】本発明の情報管理タグは、ベースフィルム（２）表面上に、アンテナ（７，８）とこれに接続される半導体チップ（９）とが形成されたＲＦＩＤタグ（１）と、フィルムシート（４）の少なくとも一主表面に、多数の泡状穴部を形成して吸着面（３，５）とした発泡樹脂シート（６）とを備え、前記樹脂シート（６）の吸着面（３）が、前記半導体チップ（９）と前記アンテナ（７，８）とに直接吸着されている。【選択図】  図４
2008059085.tif 000002
【特許請求の範囲】
【請求項１】
ベースフィルム表面上に、アンテナとこれに接続される半導体チップとが形成されたＲＦＩＤタグと、
第１フィルムシートの少なくとも一主表面に、多数の泡状穴部を形成して吸着面とした第１発泡樹脂シートとを備え、
前記樹脂シートの吸着面が、前記半導体チップと前記アンテナとに直接吸着されていることを特徴とする情報管理タグ。
【請求項２】
前記第１発泡樹脂シートが前記ＲＦＩＤタグより大きい、請求項１に記載の情報管理タグ。
【請求項３】
前記ベースフィルムの裏面または第１フィルムシートの他の主表面に、管理対象物に取り付ける取り付け手段が設けられている、請求項１に記載の情報管理タグ。
【請求項４】
前記取り付け手段が、前記第１発泡樹脂シートの他の主表面に泡状穴部を形成して吸着面とし、該吸着面を外側に配されていることによる、請求項３に記載の情報管理タグ。
【請求項５】
前記取り付け手段が、前記第１発泡樹脂シートの他の主表面側に、さらに第２フィルムシートの一主表面に泡状穴部を形成して吸着面とした第２発泡樹脂シートを備え、前記吸着面を外側に配されていることによる、請求項３に記載の情報管理タグ。
【請求項６】
前記取り付け手段が、前記ベースフィルム裏面側に、さらに第２フィルムシートの一主表面に泡状穴部を形成して吸着面とした第２発泡樹脂シートを備え、前記吸着面を外側に配されていることによる、請求項３に記載の情報管理タグ。
【請求項７】
さらに硬質の樹脂板またはフィルムが積層されている、請求項１〜６のいずれか１項に記載の情報管理タグ。
【請求項８】
前記硬質の樹脂板またはフィルムが、前記取り付け手段の反対側の最外部に配されている、請求項７に記載の情報管理タグ。
【請求項９】
前記第１発泡樹脂シートがＲＦＩＤタグより大きい、請求項７に記載の情報管理タグ。
【請求項１０】
前記発泡樹脂シートの吸着面には、粘着剤または接着剤を存在させない、請求項１〜９のいずれか１項に記載の情報管理タグ。
【請求項１１】
前記ＲＦＩＤタグのベースフィルムが、ポリエチレンテレフタレート（ＰＥＴ），ポリエチレンナフタレート（ＰＥＮ），ポリアミド（ＰＡ），ポリイミド（ＰＩ），ポリフェニレンサルファイド（ＰＰＳ），ポリエーテルエーテルケトン（ＰＥＥＫ），ポリエーテルサルホン（ＰＥＳ），またはポリエーテルイミド（ＰＥＩ）である、請求項１に記載の情報管理タグ。
【請求項１２】
前記硬質の樹脂板またはフィルムが、ポリプロピレン（ＰＰ），ポリエチレンテレフタレート（ＰＥＴ），ポリエチレンナフタレート（ＰＥＮ），ポリアミド（ＰＡ），ポリイミド（ＰＩ），ポリフェニレンサルファイド（ＰＰＳ），ポリエーテルエーテルケトン（ＰＥＥＫ），ポリエーテルサルホン（ＰＥＳ），またはポリエーテルイミド（ＰＥＩ）である、請求項７に記載の情報管理タグ。
【請求項１３】
前記硬質の樹脂板またはフィルムが、予めアニールされている、請求項７に記載の情報管理タグ。
【発明の詳細な説明】
【技術分野】
【０００１】
本発明は、高温に曝されても使用可能な情報管理タグに関する。例えば、合わせガラスの合わせ工程における高温にも耐え、さらに、繰り返しの使用に耐えうる情報管理タグに関する。
【背景技術】
【０００２】
従来から、半導体チップ（ＩＣチップともいう）とアンテナを組み込んだ情報管理タグ（ＲＦＩＤタグともいう）が知られている。ＲＦＩＤタグでは、アンテナから電磁誘導により電力が半導体チップに供給され、ＩＣチップに書き込まれているＩＤ情報を発信し、さらに書き込み可能なＲＦＩＤタグでは、様々な管理情報が書き込まれる。
【０００３】
このようなＲＦＩＤタグの一例としては、ポリエチレンテレフタレート（ＰＥＴ）製フィルム上に、アンテナと半導体チップとが形成されている。さらに、アンテナと半導体チップとを保護するために、通常、接着剤等を用いて、保護フィルムが接着されている。また、ＲＦＩＤタグは、商品等の管理対象物に取り付けられて使用されるので、通常ＰＥＴフィルムの裏面には、接着剤等が塗布されており、それにより商品等に取り付けられている。
【０００４】
ここで、情報管理タグが高温に曝されると、接着剤等が変質したり、変色したりして、問題を起こす。また、商品等への取り付けに接着剤を用いると、接着剤自体が商品等の表面に残り、取れにくいという問題がある。そこで、接着剤等を使用しないで、保護フィルムを固定したり、商品等への取り付けが可能な構造のＲＦＩＤタグが必要となる。
【０００５】
例えば、衣類をクリーニングする際の個別管理に適用することを目的とし、耐熱性や耐水性、耐圧性等に優れたＲＦＩＤタグがいくつか提案されている。
【０００６】
特開２００１−６６９９０号公報には、耐熱性の保護フィルムで小袋を形成し、その中にＩＣタグ（ＲＦＩＤタグ）を封入することが提案されている。しかし、ＩＣタグ（ＲＦＩＤタグ）そのものの具体的な構造や、管理対象物への取り付け方については、何ら開示されていない。
【０００７】
特開２００５−５６３６２号公報には、ＩＣチップとアンテナとを搭載したフィルム状の回路部の上下両面に、ウレタン樹脂を貼り合わせて保護する、衣類用のＩＣタグ（ＲＦＩＤタグ）が提案されている。このウレタン樹脂の柔軟性や弾力性クッションにより、ＩＣチップとアンテナとを保護している。衣類への取り付けは、両面接着シート（テープ）による方法などが開示されている。
【０００８】
特開２００６−９５１５３号公報には、トレーの収納部にＩＣタグインレットをセットし、そこに樹脂を流して埋め込んで一体化構造とした、クリーニング用ＩＣタグ（ＲＦＩＤタグ）が提案されている。ＩＣタグインレットのＩＣチップやアンテナコイルは、熱硬化性樹脂によって保護されている。なお、衣類への取り付けについては、何ら開示されていない。
【０００９】
また、耐薬品性や耐熱性を有するＲＦＩＤタグに関して、特開２００５−２０９１７１号公報には、片面に熱接着層を有する２枚のプラスチックフィルムを熱接着させて、アンテナ回路及びＩＣチップを挟み込むＩＣタグ（ＲＦＩＤタグ）の製造方法が提案されている。この熱接着とは、２枚のプラスチックフィルムに、ヒートプレスやラミネーターによって熱を加えて、熱接着層を溶融させて、フィルム同士を接着する方法である。さらに、上記プラスチックフィルムの少なくとも一方を、空洞を含有するポリエステルフィルムとすることも提案されている。これは、そのクッション性を利用して、アンテナなどの凹凸を吸収し、タグ表面に凹凸が浮き出す問題を軽減している。
【特許文献１】特開２００１−６６９９０号公報
【特許文献２】特開２００５−５６３６２号公報
【特許文献３】特開２００６−９５１５３号公報
【特許文献４】特開２００５−２０９１７１号公報
【発明の開示】
【発明が解決しようとする課題】
【００１０】
本発明は、前記従来の問題を解決するため、接着剤等を使用することなく、耐熱性のある情報管理タグを提供する。さらには、取り外しが容易であり、再使用が可能で、商品等に付着の痕跡を残さない情報管理タグを提供する。
【課題を解決するための手段】
【００１１】
本発明による情報管理タグは、
ベースフィルム表面上に、半導体チップとこれに接続するアンテナが形成されたＲＦＩＤタグと、
第１フィルムシートの少なくとも一主表面に、多数の泡状穴部を形成して吸着面とした第１発泡樹脂シートとを備え、
前記樹脂シートの吸着面が、前記半導体チップと前記アンテナとに直接吸着されていることを特徴とする。
【００１２】
この構成により、情報管理タグにおいて、半導体チップとアンテナを保護する保護部材を接着剤等で固定していないので、加熱されることによる接着剤等に起因する問題が生じることはない。また、用いた発泡樹脂シートは、変質したり変色したりすることがない。しかも、発泡樹脂シートは、空気を泡状に多く含んでいるので断熱性があり、耐熱性も高い。したがって、本発明によれば、耐熱性の高い情報管理タグが得られる。
【００１３】
なお本明細書において、吸着とは、ミクロな吸盤による吸い付きという意味で用い、いわゆる化学的な吸着や物理的な吸着とは異なる。
【００１４】
本発明に用いられる発泡樹脂シートは、製造時に樹脂に気体を混ぜ込むことにより得られる。このため樹脂自体は、基本的に独立気泡を含んでなる発泡体であり、空気を含んでいるので断熱性があり、耐熱性も高い。またこの発泡樹脂シートは、柔軟性もあり、発泡体でありクッション性もあるので、半導体チップとアンテナとを、接触等による破損から十分に保護できる。
【００１５】
本発明の情報管理タグは、さらに泡状穴部を設けてその吸着面を外側に配する構成を有しているとよい。この吸着面により、管理対象物との取り付け取り外しが繰り返し可能となる。
【００１６】
本発明による情報管理タグは、さらに硬質の樹脂板またはフィルムを積層して構成されてもよい。硬質の樹脂板またはフィルムを積層して構成されていると、取り外す際に、情報管理タグが過度に折られたり曲げられたりすることがなく、半導体チップとアンテナとの電気的な接続がとれなくなる虞がない。
【００１７】
さらに、本発明に用いられる発泡樹脂シートは、その端部が捲れ上がると剥がれやすくなる傾向がある。情報管理タグが硬質の樹脂板またはフィルムを積層して構成されていると、端部の捲れ上がりを抑えることができるので、通常の使用程度では外れにくい情報管理タグとすることができる。
【００１８】
さらに、硬質の樹脂板またはフィルムを、取り付け手段の反対側の最外部に配した構成の情報管理タグでは、ＩＣチップとアンテナとがより十分に保護される。
【発明の効果】
【００１９】
本発明の情報管理タグは、発泡樹脂シートの吸着面が、半導体チップとアンテナとに直接吸着されている。このため、情報管理タグが高温に曝されても、接着剤等を使用していないので、接着剤等が硬化し収縮したりすることがない。このため、ＩＣチップとアンテナとの接合部に、特に応力がかかることがないので、本発明の情報管理タグは、耐熱性に優れたものとなる。
【００２０】
さらに、本発明の情報管理タグの管理対象物と接する面にも、発泡樹脂シートが備えられているとよい。この樹脂シートの吸着作用により、管理対象物への取り付け取り外しが、繰り返し可能となる。その結果、再使用が可能で、管理対象物に付着の痕跡を残さない情報管理タグを提供できる。このように、再使用が可能になると高価なＲＦＩＤタグを使用しても、１回使用当たりのコストを下げることができる。
【００２１】
加えて、本発明の情報管理タグが硬質の樹脂板またはフィルムを積層して構成されていると、情報管理タグを安全に取り扱うことができる。また、取り付け取り外しを繰り返しても、ＲＦＩＤタグを痛める虞がない。
【発明を実施するための最良の形態】
【００２２】
耐熱性のある情報管理タグを得るために、以下のような予備検討を行った。
【００２３】
（予備検討１）
通常仕様のＲＦＩＤタグ（ベースフィルム、保護フィルムともにＰＥＴ製）を、その裏面に予め付着されている接着剤層でガラス板に貼り付けた。それを恒温槽に入れて、約１３０℃まで昇温し９０分間保つという、熱サイクルを何回か繰り返し、ＲＦＩＤタグの熱による変化を確認した。
【００２４】
その結果、ＲＦＩＤタグは熱の影響により、特に端部においてフィルムが収縮していることが観察された。また保護フィルムにおいて、その傾向が顕著であることも認められた。さらに熱サイクルを何回か繰り返すと、読み取りができなくなるＲＦＩＤタグも認められた。このことから、フィルムの収縮により、半導体チップとアンテナとの接合部に応力がかかり、その電気的な接続が不確実になりうることが予想された。
【００２５】
（予備検討２）
予備検討１から得られた知見から、ＲＦＩＤタグのフィルムの収縮を抑え込むために、ガラス板に貼り付けたＲＦＩＤタグの上にさらにテープを貼り付けて、オートクレーブ中で約１．５ＭＰａ（１５気圧）の加圧下で、温度１５０℃で、９０分間の加熱する、加熱実験を実施した。テープとしては、フッ素樹脂テープ（寺岡製作所製  No.841、日東電工製ニトフロン  No.903UL）や、ポリエステルテープ（寺岡製作所製  No.631S）を用いた。
【００２６】
ＲＦＩＤタグについては、フィルムの収縮状況を確認するために、構造の異なるＲＦＩＤタグを３種類準備し、オートクレーブによる加熱実験に供した。準備したＲＦＩＤタグは、それぞれ以下のような構造を有している。
（１）通常タイプ：ベースフィルムに比べて、保護フィルムの厚みが薄いタイプ
（２）保護フィルムが厚いタイプ：保護フィルムに、ベースフィルムと同じフィルムを用いたタイプ
（３）ランドリータイプ：クリーニングに適用できるように開発されたＲＦＩＤタグで、上記（２）のタイプのＲＦＩＤタグに、さらにラミネート加工をしたとされるタイプ
予備検討２の結果、耐熱性のあるフッ素樹脂テープを用いても、使われている接着剤が熱により硬化して収縮し、ＲＦＩＤタグに歪みを与えていた。また、保護フィルムを貼り付ける際に取り込まれたと思われる空気が、加熱によって膨張して、保護フィルムが縮むような方向に力がかかることとなり、さらにＲＦＩＤタグに歪みを与えていた。そのことによると思われるが、ＩＤ情報の読み取りができなくなっていた。
【００２７】
また、上述した３つのタイプのいずれのＲＦＩＤタグにおいても、上述した結果１と同様の結果であり、ＩＤ情報の読み取りができなくなっていた。
【００２８】
以上のことから、ＩＣチップとアンテナとを保護する部材が、例え耐熱性を有していても、接着剤によって固定されていると、接着剤が熱により硬化して収縮する。そのため、ＲＦＩＤタグに歪みを与え、ＲＦＩＤタグにおいてＩＤ情報の読み取りができなくなる不具合が起こっている。そこで、ＲＦＩＤタグを耐熱性あるものとするためには、接着剤によらず固定する必要がある、という知見を得た。
【００２９】
保護部材を接着剤によらず固定する方法として、まず粘着材について検討した。粘着材は、耐熱性のある材料を選択すれば、適用が可能と思われる。
【００３０】
しかし、粘着材の表面に埃や汚れが付着すると、粘着力が極端に落ちる。このため、実用的な観点から適当でないと判断した。
【００３１】
つぎに、吸盤による固定を考えた。シリコーンゴムなどをモールド成形し表面に吸盤を多数形成した吸盤シートについて、検討した。予備実験として、ガラス板に吸盤シートを取り付けて、オートクレーブ中で約１．５ＭＰａ（１５気圧）の加圧下で、温度１５０℃で９０分間の加熱をした。その結果、吸盤シートは、その一部がガラス板に溶着してしまった。また、一旦吸盤シートを取り外すと、再使用はできなかった。以上より、吸盤シートは適当でないと判断した。
【００３２】
さらに、ミクロな吸盤による固定を考えた。例えばアクリル系樹脂を発泡させ、その表面に多数の泡状穴部を形成して吸着面とした発泡樹脂シートを、ＲＦＩＤタグの保護フィルムとして用いてみた。ＰＥＴ製保護フィルムがなく、ＩＣチップとアンテナとが露出されているＲＦＩＤタグ（以下ベアＩＣタグともいう）に、上述の発泡樹脂シートを吸着させて、オートクレーブ中で約１．５ＭＰａ（１５気圧）の加圧下で、温度１５０℃で９０分間の加熱をした。加熱した後、ＲＦＩＤタグを観察したところ、外観には特に変化がなく、ＩＤ情報の読み取りにも問題がなかった。
【００３３】
（予備検討３）
さらに、ＲＦＩＤタグを商品等に取り付ける構造として、この発泡樹脂シートの吸着面を適用してみた。検討のため、ガラス板にこの発泡樹脂シートを吸着させて、オートクレーブ中で加熱実験を行った。オートクレーブは、熱風の循環によって加熱しており、その内部では３〜４ｍ／秒の速度の熱風に曝される。加熱実験の結果、発泡樹脂シートは、ガラス板に吸着した状態を保っていた。さらに、熱風の吹き付けによる発泡樹脂シートの端部の捲れ上がりは、認められなかった。以上より、ＲＦＩＤタグを商品等に取り付ける構造としても、この発泡樹脂シートは有用であることがわかった。
【００３４】
なお、予備検討に用いたアクリル系の発泡樹脂シートは、オートクレーブによる加熱実験において、形状の変化、特に問題となる収縮のないことが確認された。
【００３５】
以上のような発明者の奮闘努力と大胆な着想によって、本発明が完成したのである。
【００３６】
本発明の情報管理タグは、もちろん通常のＲＦＩＤタグ機能を有している。ＩＣチップには、基本的にＩＤ情報が書き込まれている。さらに、書き込み型の半導体チップであれば、様々な管理情報を書き込むことができる。例えば品種，原材料，生産履歴，用途，ユーザー名，仕向け地等の様々な情報である。これらの情報が正確に読み込まれると、生産管理，供給管理，品質管理等、多くの管理に使用することができ、有用である。
【００３７】
一例として、自動車メーカーのいわゆるカンバン方式におけるガラス製品の納入について述べる。まず、各種タイプの自動車の組立てスケジュールに合わせて、納入の日時や場所が指定される。さらに、形状や大きさの異なる、ウインドシールドガラスやサイドガラス，リヤガラス，ルーフガラス等の各種ガラス製品を、組み付ける順番通りに供給する必要がある。これを間違いなく実行するためには、コンピュータを用いた個別管理が有用である。この個別管理を実施するためには、ガラス素板を加工ラインに供給する前から、情報管理タグをつけておくことができれば、好ましい。本発明の情報管理タグは、このような用途に好適である。
【００３８】
自動車用ガラスのうち、主にウインドシールドガラスには、２枚のガラスの間にポリビニルブチラール（ＰＶＢ）製の中間膜をはさみ、熱処理して一体化した合わせガラスが使用されている。熱処理条件としては、オートクレーブ中で、例えば約１．５ＭＰａ（１５気圧）の加圧下で、温度１５０℃で、９０分間加熱される。情報管理タグが、例えば合わせガラスの熱処理条件にも耐えられると、オートクレーブへ投入する前の段階から個別管理ができるので、より精度のよい管理が可能となる。
【００３９】
本発明の情報管理タグに貼付けられる吸着可能な発泡樹脂シートは、アクリル系樹脂、シリコーンゴム、シリコーンゲル、フッ素ゴム等の樹脂を原料とするとよい。好ましくは弾性樹脂を使用する。樹脂原料に空気などの気体を加えて機械的発泡機にかけ、フィルムシート上に展開し、乾燥させる。すると、その表面から気体が抜けたり泡が破壊して、発泡痕が発生する。この発泡痕をそのまま残して加硫または架橋させると、泡状穴部からなる吸盤（以下、泡状吸盤ともいう）が形成される。この泡状吸盤の好ましい数は、１万〜３万個／ｃｍ2である。なお、発泡樹脂シート内には独立した泡が残っている。
【００４０】
なお、このような発泡樹脂シートは、以下のような商品名で市販されている。ゼオンＡＬシート（ゼオン化成（株））、ダイヤフィット（ダイヤミック（株））、ぴたっと君（大庫洋紙（株））などである。
【００４１】
前記泡状吸盤の平均直径は１〜３００μｍの範囲が好ましい。発泡樹脂シートの吸着面には、粘着剤や接着剤を存在させない。粘着剤や接着剤は、上述のように加熱により、変質したり、変色したりして、問題を起こす。また、管理対象物から取り外した後に痕が残る問題もある。
【００４２】
発泡樹脂シートの別の材料としては、ポリスチレン系エラストマー（例えば、旭化成工業社製商品名“タフプレン”、“タフテック”）、オレフィン系エラストマー（例えば、ＪＳＲ社製商品名“ダイナロンCEBC”、三井化学社製商品名“ミストラマー”）、ウレタン系エラストマー、エステル系エラストマー、アミド系エラストマー、塩素化ポリエチレン系エラストマー、Syn-1,2-ポリブタジエン、Trans-1,4-ポリイソプレン、フッ素系エラストマーなどが使用できる。これらは、工業調査会発行「プラスチック・データブック」１９９９年１２月１日、８５４〜８５７頁に記載されており、本発明においても、これらに記載されているポリマーを使用できる。
【００４３】
ＲＦＩＤタグのベースフィルムの材料としては、ポリエチレンテレフタレート（ＰＥＴ）、ポリエチレンナフタレート（ＰＥＮ）、ポリアミド（ＰＡ）、ポリイミド（ＰＩ）、ポリフェニレンサルファイド（ＰＰＳ）、ポリエーテルエーテルケトン（ＰＥＥＫ）、ポリエーテルサルホン（ＰＥＳ）、またはポリエーテルイミド（ＰＥＩ）を用いることができる。
【００４４】
また、硬質の樹脂板またはフィルムの材料としては、ポリプロピレン（ＰＰ）、ポリエチレンテレフタレート（ＰＥＴ）、ポリエチレンナフタレート（ＰＥＮ）、ポリアミド（ＰＡ）、ポリイミド（ＰＩ）、ポリフェニレンサルファイド（ＰＰＳ）、ポリエーテルエーテルケトン（ＰＥＥＫ）、ポリエーテルサルホン（ＰＥＳ）、またはポリエーテルイミド（ＰＥＩ）を用いることができる。
【００４５】
さらに、硬質の樹脂板またはフィルムは、情報管理タグを取り外す際に、特にアンテナとＩＣチップとの電気的な接続に不具合を起こさない程度に、情報管理タグが変形しないような厚みを有していればよい。また、情報管理タグが発泡樹脂シートによって管理対象物に取り付けられた構造の場合、発泡樹脂シートの吸着力によっても、情報管理タグにおける変形の程度は異なる。さらに、樹脂板やフィルムも材料の違いにより、その剛性は異なる。したがって、樹脂板やフィルムの好ましい厚みは、材料の違いや、発泡樹脂シートの吸着力を考慮して決めるとよい。例えば、市販されている樹脂板やフィルムの中から、適切な厚みを選択するとよい。
【００４６】
なお、硬質の樹脂板またはフィルムは、残留している歪みを取り除くために、予めアニール（熱処理）されているとよい。アニールする際には、本発明で使用する発泡樹脂シートに吸着させ、さらにこの発泡樹脂シートを平坦なガラス板等の耐熱性プレートに吸着させて、熱処理するとよい。このようにすると、例えばポリプロピレン（ＰＰ）シート（融点：１６０℃〜１６５℃、熱変形温度：１２４℃）やポリエチレンテレフタレート（ＰＥＴ）フィルム（融点：２５５℃、ガラス転移温度：７６℃〜７７℃）を１５０℃で９０分間の熱処理をしても、収縮はするが、変形しないので、好ましい。
【００４７】
これは、発泡樹脂シートによって、ＰＰシートやＰＥＴフィルムの全面を吸着し固定しているため、変形を起こさないためと考えられる。このような現象を利用して、予めアニールした硬質の樹脂板またはフィルムを使用すると、さらなる収縮は防げ、寸法安定性の高いものとなる。硬質樹脂板またはフィルムをアニール（熱処理）する際に、発泡樹脂シートに吸着させておくと、変形しないということは、驚くべき現象である。その理由は、ＰＰシートやＰＥＴフィルムを単体で、１５０℃で９０分間熱処理すると、必ず変形し、無定形になってしまうからである。
【００４８】
本発明において、さらに外側に吸着面を配した情報管理タグを、管理対象物（例えばガラス）に吸着させるには、手で軽く押圧するだけでよい。こうすることにより、例えば８０〜９０ｋｇ／ｃｍ2程度の吸着力が得られる。情報管理タグを管理対象物から取り外す際には、端部から剥がすことにより簡単に取り外せる。情報管理タグは、吸着により貼り付いているだけであるから、取り外した後に痕は残らない。
【００４９】
本発明の情報管理タグは、ガラス生産用管理タグとすることができる。本発明の情報管理タグに一体化されている発泡樹脂シートは耐熱性が高く、泡状穴部を有しクッション性がある。このため、ガラス同士が接触しても、緩衝作用により、ガラスも情報管理タグも傷まない利点がある。特に自動車用ガラスに適用する場合は、ガラス周囲に印刷され、厚さ約１５μｍ程度で黒色のセラミックスプリント部にも、本発明の情報管理タグを吸着させることができる。このセラミックスプリント部には多少の凹凸があるが、発泡樹脂シートには柔軟性があるので、吸着させることができる。
【００５０】
以下、実施例を用いて、本発明をさらに具体的に説明する。
【００５１】
（実施例１）
（１）発泡樹脂シートの製造
アクリル共重合樹脂（大日本化学工業社製商品名“ＤＩＣＮＡＬ  ＭＥＰ−２０ＷＯ”）１０００ｇと、整泡剤（大日本化学工業社製商品名“ＤＩＣＮＡＬ  Ｍ−４０”）１００ｇと、増粘剤（大日本化学工業社製商品名“ＤＩＣＮＡＬ  ＭＸ”）１００ｇと、架橋剤メラミン樹脂（大日本化学工業社製商品）５０ｇを混合してアクリルエマルションとし、このアクリルエマルションを機械的発泡機に入れて空気を混入させ、発泡倍率１．５倍の気泡を含むアクリルエマルション液を調製した。
【００５２】
このアクリルエマルション液をナイフコーターにより、ポリエチレンテレフタレートのフィルムシート（幅３０ｃｍ、厚さ５０μｍ、長尺物）の一方の面上に、乾燥厚みで２００μｍとなるように塗布し、直後に１１０℃〜１４０℃まで９分間かけて乾燥しつつ架橋させた。その後、前記架橋されたアクリル系樹脂層の上に厚さ３０μｍのポリエチレンテレフタレート製の保護フィルムを被覆した。その後、ポリエチレンテレフタレートのフィルムシートの他方の面上にも、同様にアクリルエマルション液を塗布し、同様に架橋させた。
【００５３】
このようにして、ポリエチレンテレフタレートのフィルムシートの両面に、アクリル系樹脂が発泡した層を形成した発泡樹脂シートを得ることができた。
【００５４】
なお、以上の説明では、両面タイプの発泡樹脂シートを作製したが、片面にのみに発泡したアクリル系樹脂層を形成すれば、片面タイプの発泡樹脂シートが得られることはいうまでもない。
【００５５】
この発泡樹脂シートのアクリル系樹脂層の表面は、空気が抜けたり、泡が破裂したことにより形成された発泡痕が、１万〜３万個／ｃｍ2の割合で存在し、これらがミクロな吸盤として機能する。この発泡樹脂シートをガラス板に押圧すると、８０〜９０ｋｇ／ｃｍ2の吸着力が得られた。
【００５６】
得られた両面吸着可能な発泡樹脂シートの断面模式図を図１に示す。図１において、４はポリエチレンテレフタレートのフィルムシート、３，５はアクリル系発泡樹脂層、１３，１５は泡状吸盤、１４，１６は内部気泡である。このアクリル系樹脂層は、弾性を有する独立気泡の発泡体である。
【００５７】
図２は、発泡樹脂シートの吸着面を、走査型電子顕微鏡（日立製作所製，Ｓ−４５００，加速電圧：５ｋＶ，撮影倍率：２５０倍）にて観察した写真である。複数の泡が合体されているところもあるが、基本的に独立した発泡体であることがわかる。個々の泡の境界は明瞭に観察され、ミクロな吸盤として機能できることがわかる。
【００５８】
図３は、発泡樹脂シートの断面を、同じく走査型電子顕微鏡にて観察した写真である。複数の泡が合体されているところもあるが、発泡樹脂シートの厚み方向に連通したような箇所は認められず、独立した発泡体であることが確認された。
【００５９】
（２）情報管理タグの構成
図４に示すように、ベースフィルム２（厚み５０μｍ、ポリエチレンテレフタレート）にＩＣチップとアンテナとが形成されたベアＩＣタグ１の表面に、両面タイプの発泡樹脂シート６を吸着させて一体化し、ＲＦＩＤタグ１０を構成した。この一体化は、手で押す程度の押圧力で可能である。なお、このようなベアＩＣタグは、一般に購入可能である。
【００６０】
図４において、６は前記のようにして得られた両面吸着可能な発泡樹脂シートであり、ポリエチレンテレフタレートのフィルムシート４の両面にアクリル系発泡樹脂層３，５が形成されている。アクリル系発泡樹脂層３，５の外側表面には、それぞれミクロな吸盤が形成されている。
【００６１】
図５は、本実施例で使用したベアＩＣタグ１である。このベアＩＣタグ１は、ポリエチレンテレフタレートフィルムのベースフィルム２の表面に、半導体チップ（ＩＣチップ）９とこれに接続するアンテナ７，８を備えている。アンテナ７，８は銅プリントで構成されている。
【００６２】
（３）合わせ工程への適用試験
このＲＦＩＤタグ１０を、合わせガラスの合わせ工程に適用してみた。これは、合わせ工程で用いるオートクレーブにおける加熱に、このＲＦＩＤタグ１０が耐えうるかを確認するものである。ＲＦＩＤタグ１０を、図６に示すように、合わせガラスを構成する１枚のガラス板１１に吸着させた。この合わせガラスは、自動車用ウインドシールドガラスである。
【００６３】
ＲＦＩＤタグ１０の吸着位置は、図７に示すようにガラス板１１の周囲に形成されたセラミックス部１２とした。ウインドシールドガラスを構成するもう一枚のガラスには、ＲＦＩＤタグ１０を貼り付けなかった。このようにして準備した２枚のガラスの間に、ポリビニルブチラール（ＰＶＢ）製の中間膜をはさみ、１．５ＭＰａの加圧下で、温度１５０℃で９０分間オートクレーブに入れ、熱処理して接着し一体化した。
【００６４】
このようにして得られた合わせガラスは、ＲＦＩＤタグ１０を取り付けないものと同一の品質であり、ＲＦＩＤタグの取り付けは、合わせガラスの製造に何ら影響を与えなかった。また、ＲＦＩＤタグ１０を取り外したが、ガラス側に目視で確認できる吸着痕は残っていなかった。さらに、ＲＦＩＤタグ１０の読み取り品質の劣化や、変形等は認められなかった。
【００６５】
ＲＦＩＤタグ１０には、商品名、原材料、生産履歴、用途、ユーザー名、仕向け地等様々な情報が書き込まれ、生産管理から顧客への供給管理まで行うことができた。また、このＲＦＩＤタグ１０は、繰り返し再使用することができた。
【００６６】
図８は、発泡樹脂シートを１５０℃で９０分間で熱処理した後の吸着面を、走査型電子顕微鏡にて観察した写真である。ミクロな吸盤の一部には、熱や繰り返し使用により破損している部分もあるが、大部分は明瞭な境界が残り、繰り返し使用が可能なことが確認できた。
【００６７】
本発明による情報管理タグは、以上のような構成に限られることなく、以下の示すような構成の情報管理タグでもよい。
【００６８】
（実施例２）
図９に示した情報管理タグは、ベアＩＣタグ１と、これより大きな両面タイプの発泡樹脂シート６を準備し、両面発泡樹脂シート６の一主表面の中央部分にベアＩＣタグ１を押し付けて、さらに発泡樹脂シート６と同程度の大きさの樹脂板２０を押し付けて、情報管理タグ１０とした例である。この場合、管理対象物には、両面タイプの発泡樹脂シート６の他の主表面を押し付けて、情報管理タグ１０を取り付けることになる。
【００６９】
図９に示した情報管理タグでは、両面タイプの発泡樹脂シート６をベアＩＣタグ１より大きくすることにより、上述した実施例１と同じ構成ながら、さらに樹脂板２０を簡単に積層することができる。樹脂板２０を備えているので、情報管理タグを取り外す際にも、過度に曲げられることがなく、ＩＣチップとアンテナとの電気的な接続がとれなくなる虞もなく、好ましい。
【００７０】
この実施例２では、大きな発泡樹脂シート６の中央部分にベアＩＣタグ１を配したが、情報管理タグが容易に剥がれることがなければ、中央部分に限られることなく、端部にベアＩＣタグ１を配してもよい。
【００７１】
（実施例３）
図１０に示した情報管理タグでは、片面タイプの発泡樹脂シート６１を用い、これをベアＩＣタグ１より大きくすることにより、最も簡単な構成で耐熱性のある情報管理タグを得ることができる。
【００７２】
（実施例４）
図１１に示した情報管理タグは、図１０に示した情報管理タグにおける発泡樹脂シート６１のフィルムシート４の裏面に、接着剤や両面接着テープ（２１）を用いて樹脂板２０を積層した情報管理タグである。この場合、樹脂板の固定に接着剤や両面接着テープを用いているが、この接着剤や両面接着テープが、熱により収縮硬化しても、情報管理タグの機能が失われることはない。
【００７３】
（実施例５）
図１２に示した情報管理タグでは、ベアＩＣタグ１の表面に片面タイプの発泡樹脂シート６１を吸着させ、さらにベアＩＣタグ１の表面に両面タイプの発泡樹脂シート６を吸着させた情報管理タグである。
【図面の簡単な説明】
【００７４】
【図１】本発明に用いられる両面吸着可能な発泡樹脂シートの概略断面図である。
【図２】本発明に用いた発泡樹脂シートの吸着面を、走査型電子顕微鏡にて観察した写真である。
【図３】同発泡樹脂シートの断面を、走査型電子顕微鏡にて観察した写真である。
【図４】本発明の実施例１における情報管理タグの断面図である。
【図５】図４におけるＲＦＩＤタグの斜視図である。
【図６】同情報管理タグを自動車用ウインドシールドガラスに吸着させた断面図である。
【図７】同情報管理タグを自動車用ウインドシールドガラスに吸着させた平面図である。
【図８】本発明に用いた発泡樹脂シートを、１５０℃、９０分間熱処理した後の吸着面を、走査型電子顕微鏡にて観察した写真である。
【図９】本発明の実施例２における情報管理タグの断面図である。
【図１０】本発明の実施例３における情報管理タグの断面図である。
【図１１】本発明の実施例４における情報管理タグの断面図である。
【図１２】本発明の実施例５における情報管理タグの断面図である。
【符号の説明】
【００７５】
１  ベアＩＣタグ
２  ベースフィルム
３，５  アクリル系発泡樹脂層
４  フィルムシート
６  両面タイプの発泡樹脂シート
６１  片面タイプの発泡樹脂シート
７，８  アンテナ
９  半導体チップ（ＩＣチップ）
１０  ＲＦＩＤタグ
１１  管理対象物（ガラス板）
１２  セラミックス印刷領域
１３，１５  ミクロな吸盤
１４，１６  内部気泡
２０  樹脂板（またはフィルム）
２１  接着剤（または両面接着テープ）
【図１】
2008059085.tif 000003
【図４】
2008059085.tif 000004
【図５】
2008059085.tif 000005
【図６】
2008059085.tif 000006
【図７】
2008059085.tif 000007
【図９】
2008059085.tif 000008
【図１０】
2008059085.tif 000009
【図１１】
2008059085.tif 000010
【図１２】
2008059085.tif 000011
【図２】
2008059085.tif 000012
【図３】
2008059085.tif 000013
【図８】
2008059085.tif 000014